Podtech/llm-jp-corpus-v4-ja_patent huggingface dataset:
(57)【要約】      （修正有）【課題】船舶の重しである海水をバラスト水として使用することが困難である場合、船内に搭載する造水装置とバラスト排出時に滅菌できる装置とを組み合わせて小型船舶などに搭載する安全なバラスト水処理装置を提供する。【解決手段】イオンを通さず水だけを浸透させる中空糸型逆浸透膜を用いて海水から飲料水レベルの水を作りバラストタンクに使用し、バラスト排出の際に滅菌できる電極対式処理装置を通過させる。チタン白金メッキ金網を陽極と陰極の間に間隙板を挿入し複数となして直流電流により極性切り替えを行うとともに、両端フランジとしてバラスト水排出管系に挿入できる構造とする。【選択図】図１
0003213709.tif 000002
【実用新案登録請求の範囲】
【請求項１】
海水をろ過して中空糸型逆浸透モジユールによりイオンを通さず水だけを透過させる飲料水レベルの水をバラストタンクに使用しそれをバラスト排出の際、滅菌できる電極対式処理装置を通過させ安全として生菌装置と組み合わ    せる考察とする。
【請求項２】
チタン白金メツキ金網を陽極と陰極の間に間隙板を挿入し複層となして直流電流により極性切り替えを両端フランジとしてバラスト水排出管系に挿入できる構造とする考察。
「バラスト水処理装置」
【考案の詳細な説明】
【技術分野】
【０００１】本発明はバラスト水の移動処理についての淡水利用と排出に関する。
【背景技術】
【０００２】    船舶のバラストタンクに積載するバラスト水及び沈殿物の規制および管理のための    国際条約に適合する為の海水利用と排出規制をクリアーすることが要求されてた
【先行技術文献】
【０００３】
【特許文献１】特許第３９８５２４５号
【０００４】
【非特許文献１】中空糸型逆浸透モジユールホロセツプ
【非特許文献２】海洋多目的可搬式淡水化装置  カタログ
【非特許文献３】東京海洋大学海鷹丸ＢＷテスト機（チタン白金メツキ金網構造）
【非特許文献４】生菌装置（腸内細菌用検査試薬）
【考案の概要】
【考案が解決しようとする課題】
【０００５】船舶が空荷になり安全確保のため、「おもし」として搭載する海水をバラスト水と言う。貨物船では積載貨重量の３０〜４０％に相当する海水をバラストタンクに搭載するのが通例である。世界で年間３０〜４０億トンのバラスト水が移動していると考えｔれている。わが国では３億トンが持ちだされていると推計される。北米五大湖などの淡水湖や海洋・沿岸域における外来種の生物の増殖による環境被害（生態系の破壊）経済的被害（産業・漁業活動への被害など），人の健康被害（病原菌等）等が問題化し、その原因がこれらの外来種がバラスト水に混入してきたことに起因するので国際的に管理条約が採択されている。この対策には技術開発の問題として処理装置の技術開発推進が極めて困難である。
【課題を解決するための手段】
【０００６】本発明は、このような従来技術の問題点に着目してなされたものであつて、バラスト水を海水使用して行うのでは無く、淡水利用による船舶搭載の造水装置からの真水でバラストすることで軍艦、政府の所属船他小型船舶など適用除外されているものでも船内に搭載している逆浸透膜式造水装置からの無菌清水をバラストタンクに｛おもし｝として使用することで安全に航海できるようにする。
【考案の効果】
【０００７】本発明は、イオンを通さず水だけを透過させる中空糸型逆浸透膜の海水から飲料水レベルの水や純水を生算利用するので、分離能力はコロイド物質、バクテリア，細菌などもほぼ１００％除去、イオンも９９％以上を除去できる中空糸による造水装置の利用であり加えてチタン白金メツキ金網を通過させることで有害物質、沈殿物等を除去する構造のバラスト水処理装置との組み合わせにより生菌を確認できる測定装置とすることで安全なバラスト水処理装置とする効果が生じる。
【図面の簡単な説明】
【０００８】
【図１】は、海水から中空糸の逆浸透の原理と形状を示す。
【０００９】
【図２】は、チタン白金メツキ金網を設けたバラスト水処理装置である。
【００１０】
【図３】は、バラスト排出時に生菌測定装置である。
【実施例】
【００１１】政府非営利サービス従事船は、バラスト水の管理条約の適用外とされているが、船齢老化での対象船に変更される場合に備えて準備されている。逆浸透式海水淡水化装置は搭載しているのでチタン白金メツキ金網式バラスト水処理装置を経由して排出時の生菌測定装置で安全を確認している。
【産業上の利用可能性】
【００１２】バラスト水管理条約は、船舶の安全運航と人類の環境保全面で影響が大きい。造船所の
作業日程の集中対処等実施の混乱予想されるが本考案での搭載は、短期間に岸壁着岸中に軽作業で終了可能で費用も安価である。世界中での実施が始まるが管理条約を終了しないと船舶運行ができないことを助け船となしうる特徴がある。
【符号の説明】
【造水装置の図１】
【００１３】１は、船内の造水装置の逆浸透膜である中空糸による有害物質である
イオン、ウィルス、有機物、バクテリア、パイロジエン、ＳＳ等加圧した海水による
膜からの除去を示す。
２は、透過した淡水を示す。
【バラスト水処理装置の図２】
【００１４】３は、チタン白金メツキ金網がバラスト水処理装置の中央部に設置されて極性切り替え電極対とされる（排出配管のフランジ取り外して挿入できる）
４は、バラストに使用して排出する際に再度生菌を確認する淡水の通路です。
５は、電極取付部を示す。
【図１】
0003213709.tif 000003
【図２】
0003213709.tif 000004
【手続補正書】
【提出日】平成29年9月5日(2017.9.5)
【手続補正１】
【補正対象書類名】実用新案登録請求の範囲
【補正対象項目名】全文
【補正方法】変更
【補正の内容】
【実用新案登録請求の範囲】
【請求項１】
イオンを通さず水だけを浸透させる中空糸型逆浸透膜の海水から飲料水レベルの水をバラストタンクに使用し、バラスト排出の際に滅菌できる電極対式処理装置を通過させ、生菌測定で安全を確認するバラスト水処理装置。
【請求項２】
チタン白金メッキ金網を陽極と陰極の間に間隙板を挿入し複数となして直流電流により極性切り替えを両端フランジとしてバラスト水排出管系に挿入できる構造とする請求項１に記載のバラスト水処理装置。
【手続補正２】
【補正対象書類名】明細書
【補正対象項目名】００１０
【補正方法】削除
【補正の内容】
(57)【要約】      （修正有）【課題】カップメンのスープを生かしつつ、麺もご飯も本来の味わいを保った形でおいしくいただくことが出来る、ご飯付カップメン（ライスメン）を提供する。【解決手段】電子レンジ対応のカップメン容器に封入される食品材において、味付き乾燥麺２や乾燥諸具材３の上に乗せてオブラートシート４を敷き置き、オブラートシートの上に真空パックご飯５を乗せ置いてあることを特徴とする。食べる際は、真空パックご飯だけを外に取出し、オブラートシートの上から熱湯を注ぎ入れ、普通のカップメンとして麺を食し、麺を食べ終わった後に残ったスープを生かして、その中に真空パックから取り出したご飯を入れて、カップメンスープ味のお茶付けの様にご飯をいただく。【選択図】図１
0003213741.tif 000002
【実用新案登録請求の範囲】
【請求項１】
電子レンジ対応のカップメン容器において、
味付乾麺や乾燥具材の上にオブラートシートを敷き置き、その上に真空パックご飯を入れ置くことを特徴とするライスメン。
【考案の詳細な説明】
【技術分野】
【０００１】  本考案は、カップメンだけでは腹持ちがよくないと感じる様な人の為に、同じ容器内にご飯も封入してある、謂わばご飯付きカップメンに関するものである。
【背景技術】
【０００２】  従来、カップメンを食べ終わっても、スープだけは残って、そのまま捨てることが多かった。又、スープまで飲み干しても、それだけではお腹が不満足に感じ、別におにぎり等を追加的に買い足して食べる人が多かった。
カップメンの中に、謂わば具材の一つとして、乾燥ごはんを入れてあるライス入りカップ容器型即席ラーメンも知られている（特許文献１参照）。
【先行技術文献】
【特許文献】
【０００３】
【特許文献１】特開平１０−２９５３０１号公報
【考案の概要】
【考案が解決しようとする課題】
【０００４】  食べ終わって、残ったスープをそのまま捨てるのは、いかにももったいなかった。特許文献１に示される先行技術は、熱湯を入れると乾燥ごはんが水分を吸収して雑炊状になってしまい、スープあっての麺のはずの舌触りも、ご飯本来の風味・味わいも台無しであった。
本考案は、以上の様な問題点を解決し、残りスープを生かしつつ、麺もご飯も本来の味わいを保った形でおいしくいただくことが出来る、謂わば単なる「ご飯入り」でなく「ご飯付」のカップメンを提供する。
【課題を解決するための手段】
【０００５】  電子レンジ対応のカップメン容器に封入される食品材において、味付き乾燥麺や乾燥諸具材の上に乗せてオブラートシートを敷き置き、そのオブラートシートの上に真空パックご飯を乗せ置いてある。
食べる際は、まず真空パックご飯だけを外に取出した上で、オブラートシートの上から熱湯を注ぎ入れ、普通のカップメンとして、ご飯に邪魔されずに本来の味わいそのままで麺を食し、麺を食べ終わった後に残ったスープを生かして、その中に真空パックから取り出したご飯を入れて、カップメンスープ味のお茶付けの様においしくご飯をいただく。
以上を特徴とするライスメンである。
【考案の効果】
【０００６】  （イ）  カップメンだけでは物足りないお腹も満足でき、おにぎり等を買い足す必要も        なく、麺だけの腹持ち悪さもおいしいご飯がプラスされて腹持ち満足に代わる。
（ロ）  麺を食べ終わった後、もったいないと思いつつも捨てるだけだった残りスープ        を二度生かすことが出来る。
（ハ）  乾燥ライス入りカップメンとは大違いに、麺もご飯もそれ本来の味わい・舌触        りを壊すことなくおいしくいただくことができる。
（ニ）  カップメン容器に封入された状態においても、オブラートシートによってカッ        プメン具材と真空パックご飯との間が仕切られているので、カップメンを食べる        ために、ご飯は一旦外に取り出す時も、パックには乾燥めんの粉や具材一つくっ        付いたりせず、終始きれいな状態で気持ちがよい。且つ、オブラートシート自体        はそこにあるがままの状態でその上から熱湯を注いで一緒に食べられるので、「        仕切り」を取り除くという様な面倒さも全くない。
【図面の簡単な説明】
【０００７】
【図１】  本考案において容器を封入された状態で中を示した断面図
【考案を実施するための形態】
【０００８】  以下、本考案の実施の形態を説明する。
電子レンジ対応のカップメン容器（１）に封入される食品材において、味付き乾燥麺（２）や乾燥具材（３）の上に乗せてオブラートシート（４）を敷き置き、そのオブラートシート（４）の上に真空パックご飯（５）を乗せ置いてある。
本考案は、以上の様な構成であり、以下その具体的な使用法を説明する。
食べる際は、まず真空パックご飯（５）だけを外に取出した上で、オブラートシート（４）の上から熱湯を注ぎ入れ、普通のカップメンとして、ご飯に邪魔されずに本来の味わいそのままで麺を食し、麺を食べ終わった後に残ったスープを生かして、その中に真空パックから取り出したご飯を入れて、カップメンスープ味のお茶付けの様においしくご飯をいただく。
カップメンだけでは物足りないお腹も満足でき、おにぎり等を買い足す必要もなく、麺だけの腹持ち悪さもおいしいご飯がプラスされて腹持ち満足に代わる。
麺を食べ終わった後、もったいないと思いつつも捨てるだけだった残りスープを二度生かすことが出来る。
乾燥ライス入りカップメンとは大違いに、麺もご飯もそれ本来の味わい・舌触りを壊すことなくおいしくいただくことができる。
カップメン容器に封入された状態においても、オブラートシート（４）によって乾燥具材（３）と真空パックご飯（５）との間が仕切られているので、カップメンを食べるために、ご飯は一旦外に取り出す時も、パックには味付乾燥麺（２）の粉や具材一つくっ付いたりせず、終始きれいな状態で気持ちがよい。且つ、オブラートシート（４）自体はそこにあるがままの状態でその上から熱湯を注いで一緒に食べられるので、「仕切り」を取り除くという様な面倒さも全くない。
【符号の説明】
【０００９】１  容器
２  味付乾燥麺
３  乾燥具材
４  オブラートシート
５  真空パックご飯
【図１】
0003213741.tif 000003
(57)【要約】      （修正有）【課題】色の種類が多くある糸巻を分かりやすいようにまとめて置くことができ、作業中に必要な色の糸巻が見つかりやすい裁縫用道具タワーを提供する。【解決手段】合成樹脂の素材で、縦に裁縫用道具タワー縦柱１を、丸棒状にして設け、上部には球場型飾り兼取っ手２を設け、裁縫用道具タワーの下部には、合成樹脂の素材で回転式基盤５を設け、回転基盤に密着させて回転盤３を設け、さらにその上部に一定の間隔をあけて回転盤を設け、各回転盤には糸巻保持棒４を設置して、それぞれの回転盤を自由に好みにより、回転自在に横回転出来るようにした。【選択図】図５
0003213745.tif 000002
【実用新案登録請求の範囲】
【請求項１】
合成樹脂の素材で、縦に裁縫用道具タワー縦柱（１）を、丸棒状にして上部には球場型飾り兼取っ手（２）にして、裁縫用道具タワー縦柱（１）の下部には、回転式基盤（５）は、底面にゴム製ずれ防止（６）を有しており、前記回転基盤（５）の上部に密着させて回転盤（３）を設けて、さらにその上部に一定の間隔をあけて回転盤（３）を設け、回転自在に横回転出来るようにして、裁縫用道具タワー縦柱（１）の下部には、回転式基盤（５）を設けているが、それぞれの回転盤（３）には、外側８箇所、内側には４箇所の糸巻保管棒（４）を設置して、縦の裁縫用道具タワー縦柱（１）に固定させている回転盤（３）は、６箇所設けて、全回転盤（３）には、一つの回転盤に１２個の糸巻保管棒を備えており、６箇所の回転盤で７２個の糸巻（７）とリール糸巻（８）を保管できることを特徴とする裁縫用道具タワー。
【請求項２】
裁縫用道具タワーの素材は、合成樹脂で構成しているが、ゴム製ずれ防止（５−１）以外は、金属または木材を使用することが出来る請求項１記載の裁縫用道具タワー。
【考案の詳細な説明】
【技術分野】
【０００１】
裁縫に必要な、糸巻を分かりやすいように一式をまとめて置くことが出来る裁縫道具タワーに関する。
【背景技術】
【０００２】
裁縫に必要な、道具類で一番種類が多く困難をするのは、糸巻であり整理に苦労する。
特開２００５-０６６３５７号公報（糸通しが容易に行える機能と構造を加えた裁縫道具と医療用針）に開示されているが、構造の違いが大きい。
【先行技術文献】
【特許文献】
【０００３】
【特許文献１】特開２００５-０６６３５７号公報
【考案の概要】
【考案が解決しようとする課題】
【０００４】
裁縫に必要な道具類は、色々あるが糸巻は、色の種類が多くあり作業中に必要な色の糸巻が見つかり辛く困難をする。
そのため、作業に余分な時間が使われて能率に影響する。
また、いらいらして精神的にストレスが溜まり健康上も良くない事でありこれを解決することが課題である。
【課題を解決するための手段】
【０００５】
課題を解決するために本考案は以下の構成とした。
合成樹脂を素材として、縦に裁縫用道具タワー縦柱（１）を、丸棒状にして上部には球場型飾り兼取っ手（２）にして、裁縫用道具タワー縦柱（１）の下部には、回転式基盤（５）を設け全体を回転出来るようにした。
前記回転基盤（５）に密着させて、回転盤（３）を設けて、更に一定の間隔をあけて上部に５箇所の回転盤（３）を設けた。
前記回転盤（３）は、それぞれ回転自在に横回転出来るようにした。
【０００６】
裁縫用道具タワー縦柱（１）の下部には、回転式基盤（５）を設けているがそれに密着させた回転盤（３）と上部の回転盤（３）の中間も含めてそれぞれの回転盤（３）には、外側８箇所、内側には４箇所の糸巻保管棒（４）を設置した。
【０００７】
縦の裁縫用道具タワー縦柱（１）に固定させている回転盤（３）は６箇所設けた。
従って、全回転盤（３）には、一つの回転盤に１２個の糸巻保管棒（４）を備えており、６段の回転盤で７２個の糸巻を保管できる。
【考案の効果】
【０００８】
本考案は，以下の効果を有する。
糸巻が多く自分の周りに沢山の色違いのものがあって、探すのに困難であったが縦に沢山のものが直ぐ見つけ易く陳列されているために作業の能率が上がり且つ精神的に安心感が出来た。
【図面の簡単な説明】
【０００９】
【図１】裁縫用道具タワー正面図
【図２】裁縫用道具タワー部分拡大図
【図３】裁縫用道具タワー底面図
【図４】裁縫用道具タワー使用中の平面図
【図５】裁縫用道具タワー使用中の斜視図
【考案を実施するための形態】
【００１０】
以下本考案の実施形態について説明する。
合成樹脂を素材として、縦に裁縫用道具タワー縦柱（１）を、丸棒状にして上部には球場型飾り兼取っ手（２）にして、裁縫用道具タワー縦柱（１）の下部には、回転式基盤（５）を設け、前記回転基盤（５）に密着させて、回転盤（３）を設けて、更に一定の間隔をあけて上部に５箇所の回転盤（３）を設けた。
前記回転盤（３）は、それぞれ回転自在に横回転出来るようにした。
裁縫用道具タワー全体は、回転基盤（５）で回転させることが出来る事と、上部に６段設けた回転盤（３）は、それぞれ個別に回転出来る。
【００１１】
裁縫用道具タワー縦柱（１）の下部には、回転式基盤（５）を設けているがその上部に密着させた回転盤（３）と、更に回転盤の中間も含めてそれぞれの回転盤には、外側８箇所、内側には４箇所の糸巻保管棒（４）を設置した。（図１）
裁縫用道具タワーには、沢山の糸巻（７）とリール糸巻（８）を保管できるため、整理整頓が常に出来るため、必要な色の糸巻（７）やリール糸巻（８）の紛失による仕事の遅れがなくなる。
【００１２】
縦の裁縫用道具タワー縦柱（１）に固定させている回転盤（３）は６箇所設けた。
従って、全回転盤（３）には、一つの回転盤（３）に１２個の糸巻保管棒（４）を備えており、６段の回転盤（３）で、７２個の糸巻（７）、リール糸巻を保管できる。
糸巻（７）、リール糸巻にそれぞれ糸がほぐれて、その糸（１０）と糸（１０）がからまり無駄な時間を使って仕事の害になることはなくなる。
【００１３】
回転式基盤（５）は、分解出来る装置がついている。（図３）
また、裁縫用道具タワーの素材は、合成樹脂を使用しているが、ゴム製ずれ防止（５−１）以外は、金属または木材を使用することが出来る。
【００１４】
（７）糸巻、（８）リール糸巻、（１０）糸は既存の部品である。
【符号の説明】
【００１５】
（１）    縫い物道具スタンド縦柱
（２）    球場型飾り兼取っ手
（３）    回転盤
（４）    糸巻保管棒
（５）    回転式基盤  
（６）    ゴム製ずれ防止
（７）    糸巻
（８）    リール糸巻
（９）    回転式基盤分解装置
（１０）  糸
【図１】
0003213745.tif 000003
【図２】
0003213745.tif 000004
【図３】
0003213745.tif 000005
【図４】
0003213745.tif 000006
【図５】
0003213745.tif 000007
(57)【要約】      （修正有）【課題】上に乗ったときに両足のツボを刺激して体のコリをほぐすと共に、左右両足を安定して支持することができる足踏み器を提供する。【解決手段】基台部２の上面に、間隔をおいて複数の棒材３を平行に取付け、前記各棒材３の上面中央部分が棒材３の上方に突出し、各棒材３は中央側の棒材３が高く両側に低く傾斜している足踏み器１である。    【選択図】図１
0003213797.tif 000002
【実用新案登録請求の範囲】
【請求項１】
基台部の上面に、間隔をおいて複数の棒材を設け、前記各棒材の上面中央部分が棒材の上方に突出していることを特徴とする足踏み器。
【請求項２】
基台部と複数の棒材が別個の材質で形成されていることを特徴とする請求項１記載の足踏み器。
【請求項３】
複数の棒材を、間隔をおいて設けた溝の間に、棒材より高さの高い複数の板材を着脱自在に挿着したことを特徴とする請求項１または２記載の足踏み器。
【考案の詳細な説明】
【技術分野】
【０００１】
本考案は、安定してバランスの取り易い足踏み器の改良に関するものである。
【背景技術】
【０００２】
一般に足のツボを刺激して体のコリをほぐす器具として青竹踏みが知られている。これは青竹を半割円筒状にしたものでアーチ状の上部に乗って足のツボを刺激するものである。この形を基本として種々の足踏み器（特許文献１）が提案されているが、例えばアーチ状の裏蓋の上に、プレートの突起に合った複数の穴が配列した上蓋が開閉自在に取付けられ、ここにプレートの突起を前記穴に差込んだ構成のものがある。
【０００３】
しかしながらこの足踏み器は種々の配列の突起を設けたプレートを用意しなければならず、またプレートの交換が面倒で、安定性も良くなかった。
【０００４】
また杆体を桧材で形成し、断面形状を略三角形状に形成し、杆体の上部に形成した押圧突起の上面を断面円弧形状に形成した足踏み器（特許文献２）も提案されている。この足踏み器は、土踏まずや腰などを効果的に指圧治療ができると共に、桧材からより多くの有効成分を発散させることができる。しかしながらこの押圧突起の上に両足を乗せて指圧するので安定性が悪い問題があった。
【先行技術文献】
【特許文献】
【０００５】
【特許文献１】特開２００７−６８９２６号公報
【特許文献２】登録実用新案第３０２９６１６号公報
【考案の概要】
【考案が解決しようとする課題】
【０００６】
本考案は上記問題を改善し、足踏み器の上に乗ったときに両足のツボを刺激して体のコリをほぐすと共に、左右両足を安定して支持することができる足踏み器を提供するものである。
【課題を解決するための手段】
【０００７】
本考案の請求項１記載の足踏み器は、基台部の上面に、間隔をおいて複数の棒材を設け、前記各棒材の上面中央部分が棒材の上方に突出していることを特徴とするものである。
【０００８】
本考案の請求項２記載の足踏み器は、請求項１において、基台部と複数の棒材が別個の材質で形成されていることを特徴とするものである。
【０００９】
本考案の請求項３記載の足踏み器は、請求項１または２において、複数の棒材を、間隔をおいて設けた溝の間に、棒材より高さの高い複数の板材を着脱自在に挿着したことを特徴とするものである。
【考案の効果】
【００１０】
本考案に係る請求項１記載の足踏み器によれば、棒材の中央部分が上方に突出しているので、この上に乗ったときに両足のツボを刺激して体のコリをほぐすと共に、左右両側の棒材が順次低く傾斜しているので、両足を安定して支持することができる。
【００１１】
また請求項２記載の足踏み器によれば、基台部と複数の棒材が別個の材質で形成されているので、体に最適の材質を選定することができる。
【００１２】
また請求項３記載の足踏み器によれば、横になって足のフクラハギを複数の板材に載せて両足の重みを掛けるとフクラハギを指圧する効果がある。
【図面の簡単な説明】
【００１３】
【図１】足踏み器の斜視図である。
【図２】足踏み器の平面図である。
【図３】足踏み器の側面図である。
【図４】本考案の他の実施の形態による足踏み器の側面図である。
【考案を実施するための最良の形態】
【００１４】
以下本考案の実施の一形態を図１ないし図３を参照して詳細に説明する。図において１は足踏み器を示すもので基台部２の上面に、間隔をおいて複数の棒材３を平行に取付け、前記各棒材３の上面中央部分が棒材３の上方に突出している。各棒材３は中央側の棒材３が高く両側に傾斜していると共に、左右両側の棒材３が順次低く，且つ傾斜している。
【００１５】
更に前記基台部２は例えば縦３３センチメートル、横１６センチメートルに形成され、各棒材３の間の溝４の間隔は１センチメートルに形成されている。
【００１６】
上記構成の足踏み器１は、各棒材３の上面中央部分が、棒材３の上方に突出しているので、この上に乗ったときに両足のツボを刺激して体のコリをほぐすと共に、左右両側の棒材３が順次低く傾斜しているので、両足を安定して支持することができる。
【００１７】
図４は本考案の他の実施の形態を示すもので、足踏み器１の各棒材３の間の溝４に別の長方形状の板材５を着脱自在に挿着したものである。この板材５は図３に示す中央部分の棒材３の高さより高く、例えば棒材３が高さ２．５センチメートルとすると板材５は高さが約６センチメートルに形成され棒材３より上方に突出するようになっている。
【００１８】
上記構成の足踏み器１は、横になって足のフクラハギを複数の板材５に乗せて両足の重みを掛けると、フクラハギを指圧する効果がある。この場合、板材５の上に乗って両足のツボを刺激しても良い。
【００１９】
なお棒材３や板材５は軟質の天然木を使用すると体に優しく指圧できるが、プラスチックで形成したものでも良い。また基台部２や棒材３、板材５は同一の材質で形成しても、別の材質で形成しても良い。
【００２０】
１        足踏み器                              
２        基台部                            
３        棒材                                  
４        溝                                      
５        板材      
【図１】
0003213797.tif 000003
【図２】
0003213797.tif 000004
【図３】
0003213797.tif 000005
【図４】
0003213797.tif 000006
(57)【要約】      （修正有）【課題】杖としての機能を維持しつつ、かつ、精神的な支えの機能も併せ持つ杖を提供する。【解決手段】棒状の本体と、掴み部と、接地部とを含み、本体の一端に掴み部が配置され、本体の他端に接地部が配置され、さらに、使用者の宗教に応じた文章が表記された文字表記部１４を含み、文字表記部は、本体の側面に配置されている。杖は焼却可能な材質で形成され、使用者が亡くなった場合、棺桶に遺体と一緒に納棺して、副葬品として使用することも可能である。【選択図】図１
0003213800.tif 000002
【実用新案登録請求の範囲】
【請求項１】
棒状の本体と、掴み部と、接地部とを含み、
前記本体の一端に前記掴み部が配置され、前記本体の他端に前記接地部が配置され、
さらに、文字表記部を含み、
前記文字表記部は、前記本体の側面に配置されていることを特徴とする杖。
【請求項２】
前記掴み部の形状は、略T字状であることを特徴とする請求項１記載の杖。
【請求項３】
さらに、リング状の紐部を含み、前記紐部の一部が、前記掴み部に取り付けられていることを特徴とする請求項１又は２に記載の杖。
【請求項４】
杖全体が、焼却処理可能な材質で形成されていることを特徴とする請求項１から３のいずれか一項に記載の杖。
【請求項５】
前記文字表記部に、宗教上の文章が記載されていることを特徴とする請求項１から４のいずれか一項に記載の杖。
【請求項６】
副葬品として使用可能な請求項１から５のいずれか一項に記載の杖。
【考案の詳細な説明】
【技術分野】
【０００１】
本考案は、副葬品としても使用可能な杖に関する。
【背景技術】
【０００２】
従来から、高齢者等の歩行困難者の歩行を助ける道具として杖が使用されている。杖は、その使用目的から、日常的に使用されるものであり、使用者は、歩行しない場合であっても、肌身離さず杖を側に置いていることが一般的である。
【先行技術文献】
【特許文献】
【０００３】
【特許文献１】実登３０７７３４３号公報
【０００４】
【特許文献２】実登３１６５２２８号公報
【考案の概要】
【考案が解決しようとする課題】
【０００５】
このように、杖は、使用者にとって身近でかつ必要品であるから、使用者の精神的な支えともいえるものであるが、このような観点から杖の形態を考えることは、従来なかった。
【０００６】
そこで、本考案は、杖としての機能を維持しつつ、かつ、精神的な支えの機能も併せ持つ杖を提供することを目的とする。
【課題を解決するための手段】
【０００７】
前記課題を解決するために、本考案は、棒状の本体と、掴み部と、接地部とを含み、前記本体の一端に前記掴み部が配置され、前記本体の他端に前記接地部が配置され、さらに、文字表記部を含み、前記文字表記部は、前記本体の側面に配置されていることを特徴とする。
【考案の効果】
【０００８】
本考案の杖によれば、棒状本体の側面に文字表記部が配置されているので、この部分に、仏教であれば経文、キリスト教であれば聖書の文章、イスラム教であれば、コーランの文章等、使用者の宗教に応じた文章を表記することができる。したがって、本考案の杖は、杖本来の機能を維持しつつ、かつ、精神的な支えの機能を持ち、身体的及び精神的な支えの杖である。
【０００９】
さらに、本考案の杖は、使用者が亡くなった場合は、棺桶に一緒にいれて副葬品としても使用することが可能である。
【図面の簡単な説明】
【００１０】
【図１】本考案の杖を斜め上から見た斜視図
【考案を実施するための形態】
【００１１】
図１に、本考案の杖の一例を示す。図示のように、本例の杖１は、棒状本体１１と、掴み部１２と、接地部１３とから構成されている。掴み部１２は、掴みやすいように、略Ｔ字状の形態をしており、棒状本体１１の一端（同図において上部）に配置されている。接地部１３は、棒状本体１１の他端（同図において下部）に配置されている。接地部１３には、滑り止めの目的及び地面からの衝撃の緩和の目的で、ゴム等から形成されたキャップを嵌めてもよい。また、図示していないが、掴み部１２には、リング状の紐部の一端を取り付けてもよい。リング状の紐部を掴み部１２に取り付ければ、リング状の紐部に手を通すことで、杖が手から離れることを防止できたり、使用しないときは、壁のフック等に引っ掛けて収容することができる。
【００１２】
棒状本体１１の側面には、文字表記部１４が配置されている。文字表記部１４に表記する文字は、特に制限されない。使用者が仏教徒である場合、その宗派に応じて、例えば、般若心経の経文、念仏の「南無阿弥陀仏」、お題目の「南無妙法蓮華経」、ご真言の光明真言等、御宝号の「南無大師遍照金剛」等がある。使用者が、キリスト教信者であれば、例えば、ハレルヤ等の聖書の文句を表記してもよいし、イスラム教信者の場合は、コーランの一節を表記してもよい。なお、本考案の杖では、宗教的な文章に限定されず、先人の格言、詩、ポピュラーソングの歌詞等、使用者の好みに応じて、文章を表記してもよい。
【００１３】
そして、本例の杖１は、前述のように、使用者が亡くなった場合、棺桶に遺体と一緒に納棺して、副葬品として使用することも可能である。副葬品として使用する場合、本例の杖は、例えば、木材、竹材等のような焼却可能な材料で形成されていることが好ましい。
【符号の説明】
【００１４】
１      杖
１１    棒状本体
１２    掴み部
１３    接地部
１４    文字表記部
【図１】
0003213800.tif 000003
(57)【要約】      （修正有）【課題】装着が容易で、ソックスの形状等により制限されず、装着の汎用性の高いソックス装飾具を提供する。【解決手段】薄板状の係止板１０と、装飾具１２と、係止板１０と装飾具１２とを連結する連結部材１４とを備え、係止板１０をソックス４の開口縁４ａの内側に挿入し、連結部材１４を開口縁４ａに係止させつつ、装飾具１２をソックス４の外側に垂下させる。係止板１０が、円形、楕円形又は角部が面取りされた矩形であり、連結部材１４が、紐状、糸状又は帯状である。【選択図】図２
0003213679.tif 000002
【実用新案登録請求の範囲】
【請求項１】
ソックスを履いた足元に装飾を施すためのソックス装飾具において、
薄板状の係止板と、
装飾具と、
該係止板と該装飾具とを連結する連結部材とを備え、
該係止板を該ソックスの開口縁の内側に挿入し、該連結部材を該開口縁に係止させつつ、該装飾具を該ソックスの外側に垂下させることを特徴とするソックス装飾具。
【請求項２】
前記係止板が、円形、楕円形又は角部が面取りされた矩形であることを特徴とする請求項１記載のソックス装飾具。
【請求項３】
前記連結部材が、紐状、糸状又は帯状であることを特徴とする請求項１又は請求項２記載のソックス装飾具。
【考案の詳細な説明】
【技術分野】
【０００１】
本考案は、ソックスを履いた足元に装飾を施すためのソックス装飾具に関する。
【背景技術】
【０００２】
従来より、ソックスに装飾を施す装飾具が提案されている。例えば、特許文献１の装飾具は、装飾具の少なくとも表側面には、装飾が施された装飾部材が設けられ、装飾具の裏側面には、ボタンに覆い被せるためにボタンを挿入するボタン挿入部が設けられ、装飾具の内部には、ボタン挿入部から挿入されたボタンを収容するボタン収容部が設けられている。そして、ボタン挿入部は、伸縮性を備えた部材から構成され、ボタン挿入部にボタンを挿入する際にはボタン挿入部を伸張し、ボタンがボタン収容部に収容された際には縮小し、ボタンを覆う装飾部材がボタンから外れないように固着されるものである。
【先行技術文献】
【特許文献】
【０００３】
【特許文献１】特開２００５−３３４０９３号公報
【考案の概要】
【考案が解決しようとする課題】
【０００４】
しかしながら、従来の装飾具は、着脱が煩雑であったり、ソックス側にボタンを設ける必要がある等、汎用性にも乏しかった。
【０００５】
本考案は、このような事情に鑑みてなされたもので、装着が容易で、ソックスの形状等により制限されず、装着の汎用性の高いソックス装飾具を提供することにある。
【課題を解決するための手段】
【０００６】
請求項１記載のソックス装飾具は、薄板状の係止板と、装飾具と、係止板と装飾具とを連結する連結部材とを備え、係止板をソックスの開口縁の内側に挿入し、連結部材を開口縁に係止させつつ、装飾具をソックスの外側に垂下させることを特徴とする。
【０００７】
請求項２記載のソックス装飾具は、係止板が、円形、楕円形又は角部が面取りされた矩形であることを特徴とする。
【０００８】
請求項３記載のソックス装飾具は、連結部材が、紐状、糸状又は帯状であることを特徴とする。
【考案の効果】
【０００９】
本考案によれば、装着が容易で、ソックスの形状等により装着が制限されず、装着の汎用性が高い。
【図面の簡単な説明】
【００１０】
【図１】本考案に係るソックス装飾具の一例を示す説明図である。
【図２】同ソックス装飾具の使用方法を示す説明図である。
【考案を実施するための形態】
【００１１】
以下、図を用いて本願のソックス装飾具について説明する。図１は、本考案に係るソックス装飾具の一例を示す説明図である。図２は、同ソックス装飾具の使用方法を示す説明図である。ソックス装飾具１は、ソックス４を履いた足元に装飾を施すためのものである。
【００１２】
本実施の形態のおけるソックス装飾具１は、係止板１０と、装飾具１２と、連結部材１４とから構成されている。係止板１０は、薄板で、形状は、特に限定されるものではないが、ソックス４の開口縁４ａから、ソックス４と足ｆとの間に挿入し且つ抜け落ちない程度の面積が必要である。係止板１０の具体的な形状は、円形や楕円形の他、正方形、長方形、三角形等の矩形でももいが、矩形の場合、角部が丸や直線上に面取りされているものが好ましい。
【００１３】
装飾具１２は、図では、毛が放射状に伸びる球形のボンボンを用いているが、これに限られるものではなく、ソックス４や足元を装飾する物であればよい。連結部材１４は、図では、糸状のものを用いているが、これに限られるものではなく、紐状又は帯状であってもよく、係止板１０と装飾具１２とを離間して連結することができるものであればよい。
【００１４】
次に、ソックス装飾具１の使用方法を説明する。ソックス装飾具１の係止板１０をソックス４の開口縁４ａの内側（ソックス４と足ｆとの隙間）に挿入し、連結部材１４をソックス４の開口縁４ａに係止させつつ、装飾具１２をソックス４の外側に垂下させるようにする。
【００１５】
以上のようなソックス装飾具１は、装着が容易で、ソックスの形状等により装着が制限されず、装着の汎用性が高い。
【産業上の利用可能性】
【００１６】
本考案により、装着が容易で、ソックスの形状等により制限されず、装着の汎用性の高いソックス装飾具を提供することができる。
【符号の説明】
【００１７】
１・・・・ソックス装飾具
４・・・・ソックス
４ａ・・・開口縁
１０・・・係止板
１２・・・装飾具
１４・・・連結部材
【図１】
0003213679.tif 000003
【図２】
0003213679.tif 000004
(57)【要約】      （修正有） 【課題】杖を使用する人が、靴を履く時、杖本体を靴べらに持ち替えるという不自由さを解決する靴べら付き杖を提供する。【解決手段】杖本体２の下端部に靴べら７を取り付けアーム６で一体化した杖であり、杖本体と靴べらの取り付け部１１は取り付けアームを介して回転可動式になっており、足先で靴べらの上げ下げが自由に出来る。靴べらを上側に回転させて収納状態とし、下側に回転させて使用状態とすることができる。【選択図】図２
0003213651.tif 000002
【実用新案登録請求の範囲】
【請求項１】
杖本体２の下端部３に一対の取り付けアーム６の後端側を固定し、この一対の取り付けアーム６の先端部間に靴べら７の後端部１０を回転可能に取り付け、前記一対の取り付けアーム６の先端部を前記杖本体２の下端よりも杖本体２の把持部側に位置させ、靴べら７を、先端部９が杖本体２の下端よりも突出する使用状態と、先端部９が杖本体２の把持部側を向く収納状態とに回転できるように構成されたことを特徴とする靴べら付き杖。
【請求項２】
前記靴べら７は、使用状態と収納状態とにそれぞれ保持されるように、前記一対の取り付けアーム６の先端部間に取り付けられている、ことを特徴とする請求項１の靴べら付き杖。
【考案の詳細な説明】
【技術分野】
【０００１】
本考案は、杖と靴べらを一体化し手を使わずに靴をはくことができる靴べら付き杖に関する。
【背景技術】
【０００２】
高齢化が進み、例えば特許文献１で記載されたような杖を使用する人が増えているが、特許文献１の杖には靴を履くときの助けになるような構成はなんら施されておらず、杖を履くとき、杖を靴べらに持ち替える必要があり、不便であった。
【先行技術文献】
【特許文献】
【０００３】
【特許文献１】特開２０１７−２９３７６
【考案の開示】
【考案が解決しようとする課題】
【０００４】
通常、杖を使用している人が靴を履くとき、一旦、杖を手から離し、靴べらに持ち替える必要があった。このような不便な問題を解決する靴べら付き杖である。
【０００５】
この問題を解決するための靴べら付き杖は、杖の先端から少し上の位置に取り付けアームを用いて靴べらを取り付けている。靴べらは例えば、取り付けアーム先端部に基端部（靴に差し入れる側と反対側の端部）が回転できるように取り付けられている。そして、杖から靴べらを上げたり下げたりできる。取り付けアームは杖本体から突出していないし、靴べら収納時は杖本体に靴べらが密着し、なおかつ杖本体の先端から、靴べらの基端部は突出していないので、杖だけを使用することができる靴べら付き杖である。
【考案の効果】
【０００６】
靴べら付き杖を使用する時は、足先で靴べらの先端を下方向に引き下ろす。使用後は靴を履いたまま靴先で、靴べらの胴体部を杖本体に沿うように引き上げる。全て足先でできるので、こしを屈めることなく、楽に靴を履くことができる。
【図面の簡単な説明】
【０００７】
【図１】靴べら付き杖を正面から見た図
【図２】靴べら付き杖を側面から見た図
【図３】靴べら付き杖を分解した図
【図４】靴べら付き杖の靴べら本体を足先で出している図
【図５】靴べら付き杖の靴べらで靴を履いている図
【図６】靴べら付き杖の靴べらを収納している図
【図７】靴べら付き杖を引っかけている図
【図８】靴べらの収納状態と使用状態を示す図
【考案を実施するための形態】
【０００８】
本案は靴べら付き杖１の使用時、腰を屈めることなく、また、杖１を手から離すことなく靴１３を履くためのものである。そのため、杖本体２に靴べら７を収納状態にした時、杖本体２の下端部分３から靴べら７の後端部分１０及び杖本体２と靴べら７の取り付け部１１の取りつけアーム６が、突出しない位置に取り付けられ一体化されることで、杖１本来の使用ができる。また、取り付け部１１への靴べら７の取り付けは回転可動式で、靴べら７の上げ下げは手を使わず全てつま先で自由にできる。  
【０００９】
靴べら付き杖１は、靴べら７の収納時は杖本体２に密着し、杖本体２の使用に邪魔にならない。また、靴べら７の使用時は、杖本体２から靴べら７を下ろす。ここでは靴べら７の先端部９は杖本体２の下端部分３から突出している。また靴べら７の裏面８が杖本体２の下端部３に当接し、それ以上回転しない。図８の下側の使用状態を示す図では、靴べら７の裏面８が杖本体２の下端部３又は下端に当接する直前の状態を示している。靴べら付き杖１を使用しない時は、取っ手部４の側にある滑り止め材質でできた引っ掛け部５を利用すれば便利である。
【００１０】
取り付けアーム６と靴べら７との間の摩擦力が十分に大きくなるように構成し、靴べら７が使用状態と収納状態とに保持されるようにしておく。
【符号の説明】
【００１１】
１靴べら付き杖
２靴本体
３杖の下端部
４杖の取っ手部
５杖の引っ掛け部
６取り付けアーム
７靴べら
８靴べら裏面
９靴べらの先端部
１０靴べらの後端部
１１杖と靴べらの取り付け部
１３靴
【図１】
0003213651.tif 000003
【図２】
0003213651.tif 000004
【図３】
0003213651.tif 000005
【図４】
0003213651.tif 000006
【図５】
0003213651.tif 000007
【図６】
0003213651.tif 000008
【図７】
0003213651.tif 000009
【図８】
0003213651.tif 000010
(57)【要約】      （修正有）【課題】火ばさみは繰り返し使用しているうちに、末端部の弾性が弱まり、先端部が開いた状態に復元しにくくなることがよくあり、かかる事態を改善すべく、先端部の開力の経時的低減を可及的に抑制可能な火ばさみを提供する。【解決手段】火ばさみ１５は２つのアーム部１１、１１を含み、２つのアーム１１、１１はステンレス等の金属板を用いて同じ長さに構成され、２つのアーム部１１、１１の一端は弾性を有するほぼ円弧状のバネ部１０によって相互に連結される。このバネ部１０により、２つのアーム１１、１１は相互に所定の角度をもって開いた状態に付勢されている。【選択図】図１
0003213670.tif 000002
【実用新案登録請求の範囲】
【請求項１】
一対のアームが、バネ部を介して開方向に付勢された状態で、対向連結された火ばさみにおいて、
アームの内側に、アームが開く方向に付勢する弾性体を取り付けた火ばさみ。
【請求項２】
弾性体が板バネである請求項１に記載の火ばさみ。
【請求項３】
弾性体が押しバネである請求１に記載の火ばさみ。
【請求項４】
弾性体がゴム製の補強材である請求項１に記載の火ばさみ。  
【考案の詳細な説明】
【技術分野】
【０００１】
本考案は回収作業や分別作業などに用いる火ばさみに関し、より詳しくは先端部の開く力が経時的に減退しない火ばさみに関する。
【背景技術】
【０００２】
廃品や投棄ゴミ等を手で直接取り扱うことは望ましくない。そこでいわゆる火ばさみを用いて廃品や投棄ゴミを挟んで分別し、あるいは拾い上げることが行われている。
【０００３】
図４乃至図６は従来汎用の火ばさみ４を示すものである。バネ部２が弾性を備えた支点となっており、ばねの力で一対のアーム３，３が緩く開く状態になるように形成されている。すなわち、図６に示されるようにアーム３，３同士が近接した状態からバネの力で図４に示されるアーム３，３が開いた状態に復元するよう付勢されている。
【０００４】
また、火ばさみ４の先端部１は物品をはさんで落とさないようにするために広くへら状になっているか、凹凸がついていて掴む対象に食い込むよう形成されている。
【０００５】
特許文献１には、先端部近傍に補強用のリブが設けられた火ばさみが開示されている。
【先行技術文献】
【特許文献】
【０００６】
【特許文献１】特開２００２−３０６２７号公報
【考案の開示】
【考案が解決しようとする課題】
【０００７】
火ばさみは繰り返し使用しているうちに、末端部の弾性が弱まり、先端部が開いた状態に復元しにくくなることがよくある。本考案はかかる事態を改善すべく、先端部の開力の経時的低減を可及的に抑制可能な火ばさみを提供することを目的とする。
【課題を解決するための手段】
【０００８】
（１）  請求項１に記載の考案は、一対のアームが、バネ部を介して開方向に付勢された状態で、対向連結された火ばさみにおいて、アームの内側に、アームが開く方向に付勢する弾性体を取り付けて構成した。
【０００９】
（２）  請求項２に記載の考案は、請求項１記載の火ばさみにおいて、弾性体を板バネを用いて構成した。
【００１０】
（３）  請求項３に記載の考案は、請求項１記載の火ばさみにおいて、弾性体を押しバネを用いて構成した。
【００１１】
（４）  請求項４に記載の考案は、請求項１記載の火ばさみにおいて、弾性体をゴム製の補強材を用いて構成した。
【考案の効果】
【００１２】
図１乃至図３に示すように本考案にかかる火ばさみは、一対のアーム１１，１１の間に弾性体として請求項２に記載の考案では板バネ１２が、請求項３に記載の考案では押しバネ１３が、請求項４ゴム製の補強材１４が介在させてある。これら弾性体はアーム１１を開く方向に付勢することから、バネ部１０によるアーム１１に対する開力が経時的に低減しても、火ばさみの先端部の開力を維持することが可能となるのである。
【図面の簡単な説明】
【００１３】
【図１】請求項２記載の考案の正面図
【図２】請求項３記載の考案の正面図
【図３】請求項４記載の考案の正面図
【図４】従来の火ばさみの正面図
【図５】同、側面図
【図６】同、アームが近接した状態を示す正面図
【考案を実施するための形態】
【００１４】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００１５】
本考案にかかる火ばさみ１５は、図４乃至図６に示される従来の火ばさみ４に弾性体を付加したものであり、その基本構造は火ばさみ４と同様である。すなわち、本考案に係る火ばさみ１５は２つのアーム部１１、１１を含み、２つのアーム１１、１１はステンレス等の金属板を用いて同じ長さに構成され、２つのアーム部１１、１１の一端は弾性を有するほぼ円弧状のバネ部１０によって相互に連結される。このバネ部１０により、２つのアーム１１、１１は相互に所定の角度をもって開いた状態に付勢されている。
【００１６】
本考案においては、アーム１１,１１間にアーム１１，１１を開く方向に付勢する弾性体が介在させてある。弾性体としては図１に示すように折曲した板バネ１２、図３に示すように押しバネ１３、図３に示すように補強材１４が用いられる。補強材１４は弾性を備えたゴム製の略直方体であり、素材としては天然ゴムやＳＢＲゴムなどを利用可能である。
【符号の説明】
【００１７】
１０・・バネ部
１１・・アーム
１２・・板バネ
１３・・押しバネ
１４・・補強材
１５・・火ばさみ
【図１】
0003213670.tif 000003
【図２】
0003213670.tif 000004
【図３】
0003213670.tif 000005
【図４】
0003213670.tif 000006
【図５】
0003213670.tif 000007
【図６】
0003213670.tif 000008
(57)【要約】      （修正有）【課題】鳥獣保護管理法の禁止猟法による輪の直径は１２ｃｍ以下とする規制の範囲の中で、空はじきを防ぎ、捕獲効率を向上させるくくり罠のための踏込具を提供する。【解決手段】有害獣が円形の筒に入れられた踏み板を踏むと踏み板が下がり、踏み板上に対称に配置された輪の短径が１２ｃｍ以下の楕円形を２分割した半円のフレームが有害獣の足を挟み込むように閉じ、フレームの溝に掛けていたワイヤーが外れ有害獣の足をワイヤーがとらえるくくり罠において、踏み板上にポリプロピレン（ＰＰ）製フィルム２、３を重ねて装着し、有害獣の足がフレームの中心より外れた部分に踏み込んだ時もポリプロピレン製フィルムにより有害獣の足を包み込むように滑り込ませ、ワイヤーを誘導し、有害獣の爪にワイヤーがかかることを防止し、有害獣の足に深くワイヤーがかかるように構成した。【選択図】図１
0003213623.tif 000002
【実用新案登録請求の範囲】
【請求項１】
踏込板を有する跳ね上げ式、踏み落とし式、かつ半円形のワイヤーガイドを有する押しばね式くくり罠。
【考案の詳細な説明】
【考案の概要】
【考案が解決しようとする課題】
【０００１】
鳥獣保護管理法の禁止猟法による輪の直径は12cm以下とする規制の範囲の中で、空はじきを防ぎ、捕獲効率を向上させるくくり罠を提供する。
【課題を解決するための手段】
【０００２】
踏込板にポリプロピレン（ＰＰ）製フィルムを重ねて装着する事により有害獣の足を包み込むようにワイヤーを誘導させる。
【考案の効果】
【０００３】
この考案により、獣の足を滑り込ませることができ、獣の爪にワイヤーがかかることを防止し、よって、獣の足に深くワイヤーをかけることが可能となる。これにより従来捕獲できにくかった獣を捕獲できるようになる。
【図面の簡単な説明】
【０００４】
【図１】罠本体1の踏込板、PPフィルム（直径20ｃｍ） 2 及び ＰＰフィルム(15cm×11ｃｍ） 3、ビス 4 ・ビス 5
【図２】罠本体1の踏込板に PPフィルム（直径20ｃｍ） 2 及び ＰＰフィルム(15cm×11ｃｍ） 3 を重ね、ビス 4 ・ビス 5 にて固定する。 ＰＰフィルム ３ はワイヤーガイドをまたぐように取り付ける。
【図１】
0003213623.tif 000003
【図２】
0003213623.tif 000004
【手続補正書】
【提出日】平成29年9月20日(2017.9.20)
【手続補正１】
【補正対象書類名】実用新案登録請求の範囲
【補正対象項目名】全文
【補正方法】変更
【補正の内容】
【実用新案登録請求の範囲】
【請求項１】
有害獣が円形の筒に入れられた踏み板を踏むと踏み板が下がり、それに伴いばねがはじくことによってワイヤーを引っ張り踏み板につけられていたワイヤーが有害獣の足をとらえるくくり罠(踏み板を有する跳ね上げ式)または、有害獣が円形の筒の中に入れられたそれより径の小さな円形の容器内の踏み板を踏み下げることにより、小さい径の容器の外側に巻き付けられたワイヤーが有害獣の足をとらえるくくり罠（踏み落とし式）または有害獣が円形の筒に入れられた踏み板を踏むと踏み板が下がり、その踏み板上に対称に配置された輪の短径が12ｃｍ以下の楕円形を２分割した半円のフレームが有害獣の足を挟み込むように閉じ、フレームの溝に掛けていたワイヤーが外れ有害獣の足をワイヤーがとらえるくくり罠（半円形のフレームを有する押しばね式くくり罠）、これらの踏み板上にポリプロピレン（ＰＰ）製フィルムを重ねて装着し、有害獣の足が短径12ｃｍのフレームの中心に乗らずに中心より外れた部分に踏み込まれた有害獣の足をポリプロピレン（ＰＰ）製フィルムにより有害獣の足を包み込むように滑り込ませ、ワイヤーを誘導し、有害獣の爪にワイヤーがかかることを防止し、有害獣の足に深くワイヤーをかけることを特徴とするくくり罠のための踏込具。